(57)【要約】【課題】  排水設備の音波洗浄作業が大掛かりにならないようにする。【解決手段】  本発明に係る排水設備の音波洗浄方法は、掃除口１２ｘから配管閉鎖部材４０を排水立て管内に挿入し、その配管閉鎖部材４０の先端部分４４を所定高さ位置まで下降させてその位置で膨張させ、排水立て管１４を塞ぐ工程と、掃除口１２ｘから洗浄液Ｗを注入して、排水立て管１４の閉鎖部位より上に洗浄液Ｗを溜める工程と、音波発振機５２を洗浄液Ｗに浸漬し、その音波発振機から音波を発振して洗浄液Ｗが溜められている範囲を洗浄する工程とを有する。このため、排水立て管１４の閉鎖部位から掃除口１２ｘまでの間に洗浄液Ｗを溜めて排水立て管１４、排水管継手１２及び排水横枝管１６,１７を音波洗浄できるようになる。【選択図】        図１
2005087872.tif 000002
【特許請求の範囲】
【請求項１】
建物の上下方向に延びる排水立て管と、その建物の各階毎に設けられており、各器具からの排水を前記排水立て管まで導く排水横枝管と、前記排水立て管と前記排水横枝管とを接続する排水管継手と、上下方向においてほぼ一定間隔で設けられており、開閉可能な構成の複数の掃除口とを有する排水設備の音波洗浄方法であって、
前記掃除口から配管閉塞部材を前記排水立て管内に挿入し、その配管閉塞部材の先端部分を所定高さ位置まで下降させてその位置で膨張させ、前記排水立て管を塞ぐ工程と、
前記掃除口から洗浄液を注入して、前記排水立て管の閉塞部位より上に洗浄液を溜める工程と、
音波発振機を洗浄液に浸漬し、その音波発振機から音波を発振して洗浄液が溜められている範囲を洗浄する工程と、
を有することを特徴とする排水設備の音波洗浄方法。
【請求項２】
請求項１に記載された排水設備の音波洗浄方法であって、
可撓性のホース状部材の先端に取付けられた音波発振機を掃除口から排水立て管内に挿入し、前記ホース状部材を繰出し、あるいは巻取ることで、前記音波発振機を排水立て管内で移動させて洗浄を行うことを特徴とする排水設備の音波洗浄方法。
【請求項３】
請求項１に記載された排水設備の音波洗浄方法であって、
可撓性のホース状部材の先端に取付けられた音波発振機を排水横枝管の器具側の一端部からその排水横枝管内に挿入し、前記ホース状部材を繰出し、あるいは巻取ることで、前記音波発振機を排水横枝管内で移動させて洗浄を行うことを特徴とする排水設備の音波洗浄方法。
【請求項４】
請求項１に記載された排水設備の音波洗浄方法であって、
前記掃除口から配管閉塞部材を前記排水立て管内に挿入する際に、その配管閉塞部材と一体化された音波発振機を前記排水立て管内に挿入することを特徴とする排水設備の音波洗浄方法。
【請求項５】
建物の上下方向に延びる排水立て管と、その建物の各階毎に設けられており、各器具からの排水を前記排水立て管まで導く排水横枝管と、前記排水立て管と前記排水横枝管とを接続する排水管継手と、上下方向においてほぼ一定間隔で設けられており、開閉可能な構成の複数の掃除口とを有する排水設備の音波洗浄装置であって、
前記掃除口から前記排水立て管内に挿入可能であり、先端部分が前記排水立て管内で膨張することにより、その排水立て管を閉塞できる構成の配管閉塞部材と、
前記排水立て管の閉塞部位より上に溜められた洗浄液内に浸漬された状態で音波を発振することで、その洗浄液が溜められている範囲を洗浄する音波発振機と、
を有することを特徴とする排水設備の音波洗浄装置。
【請求項６】
請求項５に記載された排水設備の音波洗浄装置であって、
音波発振機は、発振する音波の周波数を超音波からそれより低い周波数まで調節可能、かつ前記音波の出力を調節可能に構成されていることを特徴とする排水設備の音波洗浄装置。
【請求項７】
請求項５又は請求項６のいずれかに記載された排水設備の音波洗浄装置であって、
配管閉塞部材は、
可撓性のホースと、
前記ホースの先端にそのホースと連通した状態で取付けられており、内圧が加わることで膨張して排水立て管を塞ぐ閉塞用ボールと、
前記ホースの基端部に接続された加圧手段と、
を有することを特徴とする排水設備の音波洗浄装置。
【請求項８】
請求項５から請求項７のいずれかに記載された排水設備の音波洗浄装置であって、
音波発振機は可撓性のホース状部材の先端に取付けられており、
そのホース状部材が繰出され、あるいは巻取られることで、前記音波発振機は排水立て管内あるいは排水横枝管内を移動可能に構成されていることを特徴とする排水設備の音波洗浄装置。
【請求項９】
請求項５から請求項７のいずれかに記載された排水設備の音波洗浄装置であって、
音波発振機は、配管閉塞部材と一体化されていることを特徴とする排水設備の音波洗浄装置。
【発明の詳細な説明】
【技術分野】
【０００１】
本発明は、建物の上下方向に延びる排水立て管と、その建物の各階毎に設けられており、各器具からの排水を前記排水立て管まで導く排水横枝管と、前記排水立て管と前記排水横枝管とを接続する排水管継手と、上下方向においてほぼ一定間隔で設けられており、開閉可能な構成の複数の掃除口とを有する排水設備の音波洗浄方法及びその装置に関する。
【背景技術】
【０００２】
これに関連する排水設備の音波洗浄方法が特許文献１に記載されている。
この洗浄方法は、超音波発振装置を利用して配管の洗浄（超音波洗浄）を行う方法であり、建物の排水設備全体に洗浄液を充填した状態で、各所に取付けられた複数の超音波発振装置を所定時間動作させて排水設備の洗浄を行う。超音波発振装置が動作すると、超音波による振動が洗浄液を介して排水設備の排水立て管、排水横枝管等に加えられ、排水立て管等が微振動して内壁面に付着した汚れ成分が剥離し易くなる。さらに、超音波による振動が洗浄液に加えられることで、洗浄液が流動化し、排水立て管等の内壁面から剥離し易くなった汚れ成分が効果的に取り除かれる。
【０００３】
【特許文献１】特開平８−１５５４１１号公報
【発明の開示】
【発明が解決しようとする課題】
【０００４】
上記した洗浄方法では、建物の排水設備全体に洗浄液を充填して超音波洗浄を行うため、排水設備の洗浄作業が大掛かりなものになる。即ち、洗浄液が漏れないように、建物の各階における排水横枝管の器具側の端部を全て塞いだ状態で、排水設備の排水立て管、排水横枝管等に洗浄液を充填しなければならない。このため、超音波洗浄の準備に手間が掛かり、排水設備が長期間使用できない状態となる。また、排水設備全体に洗浄液を充填するため、多量の洗浄液が必要になるとともに、超音波発振装置も多数必要になる。
本発明は、上記問題点を解決するためになされたものであり、本発明が解決しようとする課題は、建物の排水設備を部分的に音波洗浄できるようにして、洗浄作業が大掛かりにならないようにすることである。
【課題を解決するための手段】
【０００５】
上記した課題は、各請求項の発明によって解決される。
請求項１の発明は、建物の上下方向に延びる排水立て管と、その建物の各階毎に設けられており、各器具からの排水を前記排水立て管まで導く排水横枝管と、前記排水立て管と前記排水横枝管とを接続する排水管継手と、上下方向においてほぼ一定間隔で設けられており、開閉可能な構成の複数の掃除口とを有する排水設備の音波洗浄方法であって、前記掃除口から配管閉塞部材を前記排水立て管内に挿入し、その配管閉塞部材の先端部分を所定高さ位置まで下降させてその位置で膨張させ、前記排水立て管を塞ぐ工程と、前記掃除口から洗浄液を注入して、前記排水立て管の閉塞部位より上に洗浄液を溜める工程と、音波発振機を洗浄液に浸漬し、その音波発振機から音波を発振して洗浄液が溜められている範囲を洗浄する工程とを有することを特徴とする。
ここで、排水管継手において排水立て管どうしを接続する部分（胴部）は便宜上排水立て管の一部分とみなすことにする。
【０００６】
本発明によると、排水立て管の閉塞部位から掃除口までの間に洗浄液を溜めて排水立て管、排水管継手及び排水横枝管を音波洗浄できるようになる。即ち、建物の排水設備の高さ方向における一部分について音波洗浄を行うことができ、その排水設備を複数回に分けて洗浄することが可能となる。このため、音波洗浄作業が大掛かりにならない。したがって、排水設備の不使用期間を短くできる。さらに、一回の洗浄に使用する洗浄液も少なくて済むとともに、音波発振機の使用台数も少なくできる。
【０００７】
請求項２の発明は、可撓性のホース状部材の先端に取付けられた音波発振機を掃除口から排水立て管内に挿入し、前記ホース状部材を繰出し、あるいは巻取ることで、前記音波発振機を排水立て管内で移動させて洗浄を行うことを特徴とする。
本発明によると、一台の音波発振機で排水立て管内を全て洗浄することができるようになる。また、排水立て管内で音波発振機をほぼ一定速度で上下方向に移動させることが可能になるため、排水立て管内をほぼ均等に洗浄できるようになる。また、希望する位置で超音波発振機の移動を止めることもできるため、特定部位を重点的に洗浄することもできる。
【０００８】
請求項３の発明は、可撓性のホース状部材の先端に取付けられた音波発振機を排水横枝管の器具側の端部からその排水横枝管内に挿入し、前記ホース状部材を繰出し、あるいは巻取ることで、前記音波発振機を排水横枝管内で移動させて洗浄を行うことを特徴とする。
本発明によると、一台の音波発振機で排水横枝管内を全て洗浄することができるようになる。また、排水横枝管内で音波発振機をほぼ一定速度で移動させることが可能になるため、排水横枝管内をほぼ均等に洗浄できるようになる。また、希望する位置で超音波発振機の移動を止めることもできるため、特定部位を重点的に洗浄することも可能になる。
請求項４の発明は、前記掃除口から配管閉塞部材を前記排水立て管内に挿入する際に、その配管閉塞部材と一体化された音波発振機を前記排水立て管内に挿入することを特徴とする。音波発振機を洗浄液内で移動させる必要がない場合には、配管閉塞部材と音波発振機とを一体化して排水立て管内に挿入することにより、排水立て管の閉塞と音波発振機のセットとを同時に行うことができる。
【０００９】
請求項５の発明は、建物の上下方向に延びる排水立て管と、その建物の各階毎に設けられており、各器具からの排水を前記排水立て管まで導く排水横枝管と、前記排水立て管と前記排水横枝管を接続する排水管継手と、上下方向においてほぼ一定間隔で設けられており、開閉可能な構成の複数の掃除口とを有する排水設備の音波洗浄装置であって、前記掃除口から前記排水立て管内に挿入可能であり、先端部分が前記排水立て管内で膨張することにより、その排水立て管を閉塞できる構成の配管閉塞部材と、前記排水立て管の閉塞部位より上に溜められた洗浄液内に浸漬された状態で音波を発振することで、その洗浄液が溜められている範囲を洗浄する音波発振機とを有することを特徴とする。
本発明により、請求項１に係る排水設備の音波洗浄方法を実施できるようになる。
請求項６の発明によると、音波発振機は、発振する音波の周波数を超音波からそれより低い周波数まで調節可能、かつ前記音波の出力を調節可能に構成されていることを特徴とする。このため、管内の汚れ状況に応じて、音波発振機から発振される音波の周波数や音波の出力を調整することが可能になる。
【００１０】
請求項７の発明によると、配管閉塞部材は、可撓性のホースと、前記ホースの先端にそのホースと連通した状態で取付けられており、内圧が加わることで膨張して排水立て管を塞ぐ閉塞用ボールと、前記ホースの基端部に接続された加圧手段とを有することを特徴とする。
本発明によると、簡易な構成で確実に排水立て管を塞ぐことができるため、配管閉塞部材の閉塞信頼性が高くなる。
【００１１】
請求項８の発明によると、音波発振機は可撓性のホース状部材の先端に取付けられており、そのホース状部材が繰出され、あるいは巻取られることで、前記音波発振機は排水立て管内あるいは排水横枝管内を移動可能に構成されている。
本発明により、請求項２、請求項３に係る排水設備の音波洗浄方法を実施できるようになる。
請求項９の発明によると、音波発振機は、配管閉塞部材と一体化されていることを特徴とする。
本発明により、請求項４に係る排水設備の音波洗浄方法を実施できるようになる。
【発明の効果】
【００１２】
本発明によると、建物の排水設備を複数回に分けて音波洗浄することが可能になり、一回の音波洗浄が大掛かりにならない。このため、排水設備の不使用期間を短くできる。さらに、一回の洗浄に使用する洗浄液も少なくて済むとともに、音波発振機の使用台数も少なくできる。
【発明を実施するための最良の形態】
【００１３】
以下、図１〜図５に基づいて、本発明の実施形態１に係る排水設備の音波洗浄方法について説明する。本実施形態に係る排水設備の音波洗浄方法は、マンションやビル等に設置された排水設備を音波振動を利用して洗浄する方法である。ここで、図１〜図３は本実施形態に係る排水設備の音波洗浄方法の各工程を表す一部破断側面図であり、図４、図５は排水設備の器具回りの配管を表す側面図等である。
本実施形態に係る排水設備の音波洗浄方法を説明する前に、先ず、マンション等の排水設備の概略説明を行う。
【００１４】
マンション等の集合住宅は、図１等に示すように、上階Ａと下階Ｂ（図では洗浄階Ｂ）とがコンクリートスラブＣＳによって仕切られており、そのコンクリートスラブＣＳに排水設備１０の排水管継手１２が通される貫通孔Ｈが形成されている。なお、貫通孔Ｈと排水管継手１２との隙間部分はモルタル等（図示省略）で埋められる。
排水設備１０は、集合住宅の上下方向に延びる排水立て管１４と、その集合住宅の各階毎に設けられた各種の排水横枝管１６,１７と、それらの排水横枝管１６,１７を排水立て管１４に接続する排水管継手１２とから構成されている。
【００１５】
コンクリートスラブＣＳの上面側には、雑排水用の第１排水横枝管１６と汚水用の第２排水横枝管１７とが配管されている。なお、図１〜図３には、下階Ｂの第２排水横枝管１７は省略されている。
第１排水横枝管１６は、台所や洗面所等の雑排水を排水立て管１４まで導く排水管であり、上流側が複数本の分岐管に分けられている。そして、分岐管の一本（第１分岐管１６ｂ）が、図４（Ａ）に示すように、立て短管２３、トラップ２２を介して台所流し台２０に接続されている。
【００１６】
トラップ２２は、図４（Ｂ）に示すように、ハウジング２２ｈの底部から内部中央まで上方に突出する封水筒部２２ｐを備えており、その封水筒部２２ｐの下端部に立て短管２３の先端が接続されている。さらに、封水筒部２２ｐの先端（上端）側は取り外し可能なキャップ２２ｃによって流路を介した状態で覆われており、そのキャップ２２ｃの上に同じく取り外し可能な状態でバスケット２２ｂが装着されている。
【００１７】
第１排水横枝管１６の第２の分岐管（第２分岐管１６ｃ）は、図５に示すように、Ｐ型トラップ２４を介して洗面台２５に接続されている。また、第１排水横枝管１６の第３の分岐管（第３分岐管（図示省略））は、埋め込み式のトラップを介して浴室の流しに接続されている。
第２排水横枝管１７は、トイレの汚水を排水立て管１４まで導く排水管であり、その上流端が便器（図示省略）に接続されている。
【００１８】
排水管継手１２は、図１等に示すように、略筒状の胴部１２ｂを備えており、その胴部１２ｂの上端部に排水立て管１４の下端部が接続される上部受け口１２ｕが形成されている。また、排水管継手１２の胴部１２ｂの側面には、第１排水横枝管１６が接続される第１横枝管受け口１２ｅと、第２排水横枝管１７が接続される第２横枝管受け口１２ｆとが約90°の間隔をおいて形成されている。さらに、排水管継手１２の胴部１２ｂの側面には、第１横枝管受け口１２ｅに対向する位置に、開閉可能な構造の掃除口１２ｘが設けられている。
【００１９】
排水管継手１２の胴部１２ｂは、第１横枝管受け口１２ｅ及び第２横枝管受け口１２ｆよりも下側の部分がコンクリートスラブＣＳの貫通孔Ｈに通されており、その貫通孔Ｈから突出した下端部１２ｚが排水立て管１４の上部受け口１４ｕに接続されている。
上記構造により、集合住宅の各階に設けられた台所流し台２０、洗面台２５、浴槽及び便器２８等の各器具から流された排水は、第１排水横枝管１６、第２排水横枝管１７及び排水管継手１２によって排水立て管１４まで導かれ、その排水立て管１４から脚部継手を介して排水横主管（図示省略）まで流される。
【００２０】
次に、上記した排水設備１０の洗浄に使用される音波洗浄装置について説明する。
音波洗浄装置３０は、排水立て管１４等を所定位置で塞ぐ配管閉塞部材４０と、洗浄装置本体５０とから構成されている。
配管閉塞部材４０は、希望する位置で排水立て管１４を塞ぐことができる部材であり、可撓性のエアホース４２と、そのエアホース４２の先端に取付けられた閉塞用ボール４４と、コンプレッサ（図示省略）とから構成されている。
【００２１】
エアホース４２はホースリール（図示省略）に繰出し可能な状態で巻取られており、そのエアホース４２の基端部に前記コンプレッサが接続されている。前記ホースリールと前記コンプレッサとは、共に台車（図示省略）上に設置されている。
閉塞用ボール４４は、排水管継手１２の掃除口１２ｘを通過可能な径寸法で製作された略円筒形のゴム製ボールであり、内部空間がエアホース４２と連通状態に保持されている。このため、前記コンプレッサの圧力がエアホース４２を介して閉塞用ボール４４の内部空間に加わると、閉塞用ボール４４は主として径方向に膨張する。径方向に膨張した閉塞用ボール４４は、その外周面が排水立て管１４の内壁面に密着することで、その排水立て管１４を閉塞する。
即ち、閉塞用ボール４４が本発明の配管閉塞部材４０の先端部分に相当し、前記コンプレッサが本発明の加圧手段に相当する。
【００２２】
洗浄装置本体５０は、排水設備１０を音波洗浄する装置であり、音波発振機５２と、その音波発振機５２の制御装置（図示省略）と、両者を繋ぐ電気配線５４とから構成されている。音波発振機５２は防水性のケース内に収納されており、電気配線５４は防水性の可撓性電線管内に収納されている。このため、音波発振機５２及び電気配線５４を洗浄液Ｗ中に浸漬することが可能になる。以後、可撓性電線管内に収納されている電気配線５４を音波発振機５２のケーブル５４と呼ぶことにする。
【００２３】
音波発振機５２のケーブル５４は繰出し可能な状態でケーブルリール（図示省略）に巻取られており、そのケーブルリールと音波発振機５２の制御装置とが台車（図示省略）上に設定されている。即ち、ケーブル５４が本発明のホース状部材に相当する。
前記制御装置は、音波発振機５２の音波周波数を超音波からそれより低い周波数まで調節可能に構成されている。また、前記制御装置は、音波発振機５２の音波出力も調節可能に構成されている。このため、管内の汚れ状況に応じて、音波発振機５２から発振される音波周波数や音波出力を調整することが可能になる。
【００２４】
次に、排水設備１０の音波洗浄方法について説明する。
先ず、洗浄階Ｂの上の階（上階Ａ）に設置された排水管継手１２の掃除口１２ｘが開かれ、図３に示すように、配管閉塞部材４０の閉塞用ボール４４が掃除口１２ｘに通される。この状態で、ホースリールが操作されてエアホース４２が繰出される。これによって、閉塞用ボール４４は排水立て管１４内を下降する。このようにして、予め決められた長さのエアホース４２が繰出され、閉塞用ボール４４が洗浄階Ｂの排水管継手１２を通過した段階で、閉塞用ボール４４がその位置に保持される。次に、配管閉塞部材４０のコンプレッサが駆動されることで閉塞用ボール４４の内部空間が加圧され、その閉塞用ボール４４が径方向に膨張する。これによって、閉塞用ボール４４の外周面が排水立て管１４の内壁面に密着し、その排水立て管１４が閉塞される。
【００２５】
次に、上階Ａの排水管継手１２の掃除口１２ｘから洗浄液Ｗが注入され、排水立て管１４の閉塞部位より上に洗浄液Ｗが溜められる。洗浄液Ｗの注入は、洗浄階Ｂの第１排水横枝管１６及び第２排水横枝管１７に洗浄液Ｗがほぼ満たされるまで行われる。ここで、洗浄液Ｗとしては、例えば、非イオン界面活性剤、アミン系ソープを主原料とした植物性の水溶液洗剤を所定量の水道水に溶解させたものを使用するのが好ましい。
次に、洗浄階Ｂで最も低い位置にある浴室のトラップのキャップ（図４と類似する構造）が外され、前記第３分岐管（図示省略）の端部から洗浄装置本体５０の音波発振機５２が挿入される。音波発振機５２から発振される音波の周波数や音波出力は管内の汚れ状態に応じて予め設定されている。次に、音波発振機５２が音波を発振している状態でケーブルリールによりケーブル５４が繰出され、図２に示すように、音波発振機５２が第３分岐管から第１排水横枝管１６の下流方向に送られる。
【００２６】
洗浄液Ｗに満たされた第３分岐管と第１排水横枝管１６との内部を音波発振機５２が移動することにより、音波発振機５２の近傍に位置する第３分岐管あるいは第１排水横枝管１６が音波により振動してその内壁面に付着した汚れ成分が剥離し易くなる。さらに、音波発振機５２から発振される音波の振動により洗浄液Ｗが流動化して、剥離し易くなった汚れ成分が第３分岐管あるいは第１排水横枝管１６の内壁面から効果的に除去される。ここで、第１排水横枝管１６と第３分岐管との境界部分や曲がり部分等、汚れが溜まり易い部分では、音波発振機５２の移動を所定時間停止させるようにするのが好ましい。
【００２７】
このようにして、第３分岐管及び第１排水横枝管１６の音波洗浄が終了すると、ケーブル５４が巻取られて音波発振機５２が回収される。次に、洗浄液Ｗが漏れないように、第３分岐管の端部が別の配管閉塞部材４０の閉塞用ボール４４等によって閉塞される（図４の二点鎖線参照）。なお、閉塞用ボール４４の代わりに閉塞用キャップ等を使用することも可能である。
次に、台所流し台２０用の第１分岐管１６ｂ、立て短管２３及び洗面台２５の第２分岐管１６ｃが洗浄液Ｗで満たされるまで、上階Ａの排水管継手１２の掃除口１２ｘから洗浄液Ｗが補充される。
【００２８】
次に、台所流し台２０のトラップ２２からバスケット２２ｂ及びキャップ２２ｃ（図４（Ｂ）参照）が取り外され、封水筒部２２ｐ側から音波発振機５２が挿入される。そして、上記したように、立て短管２３及び第１分岐管１６ｂの音波洗浄が行われる。音波洗浄が終了すると、音波発振機５２を回収した後、封水筒部２２ｐが閉塞用ボール４４等によって閉塞される（図４（Ｂ）の二点鎖線参照）。
次に、洗面台２５のＰ型トラップ２４の下流端が外され、第２分岐管１６ｃの端部から音波発振機５２が挿入されて、その第２分岐管１６ｃの音波洗浄が行われる。そして、音波洗浄後、Ｐ型トラップ２４の下流端が第２分岐管１６ｃに接続された状態で、図５（Ｂ）に示すように、そのトラップ２４の上流端が閉塞プラグ２４ｓによって閉塞される。
【００２９】
次に、便器のトラップから音波発振機５２が挿入され、汚水用の第２排水横枝管１７が音波洗浄される。なお、第２排水横枝管１７は、一般的に第１排水横枝管１６と比べて汚れ成分の付着が少ないため、洗浄頻度は少ない。
音波洗浄後は、便器のトラップが閉塞用ボール４４等によって閉塞される。
【００３０】
このようにして洗浄階Ｂの第１排水横枝管１６、第２排水横枝管１７の洗浄が終了すると、図１に示すように、上階Ａの排水管継手１２の掃除口１２ｘからその掃除口１２ｘの近傍まで洗浄液Ｗが注入される。次に、上階Ａの排水管継手１２の掃除口１２ｘから音波発振機５２が挿入され、ケーブル５４の繰出し操作によりその音波発振機５２が排水立て管１４内を下降する。これによって、洗浄階Ｂの排水立て管１４及び排水管継手１２の音波洗浄が行われる。なお、ケーブル５４の巻取り操作時に音波発振機５２から音波を発振して排水立て管１４等の音波洗浄を行っても良い。
【００３１】
排水立て管１４等の洗浄が終了すると、配管閉塞部材４０の閉塞用ボール４４の内圧が解除される。これによって、閉塞用ボール４４が元のサイズまで収縮し、排水立て管１４の閉塞が解除される。これによって、音波洗浄に使用された洗浄液Ｗ、即ち、排水立て管１４、第１排水横枝管１６及び第２排水横枝管１７等に溜められている洗浄液Ｗが排水横主管に流される。次に、洗浄装置本体５０のケーブル５４と配管閉塞部材４０のエアホース４２とが巻取られて、排水立て管１４内の音波発振機５２及び閉塞用ボール４４が回収される。次に、台所流し台２０のトラップ２２、浴室のトラップ及び便器のトラップから閉塞用ボール４４等が取り外され、洗面台２５のトラップ２４から閉塞プラグ２４ｓが外されて、各器具回りが元の状態に戻される。この状態で、排水設備１０の音波洗浄が終了する。
【００３２】
このように、本実施形態に係る排水設備の音波洗浄方法によると、排水立て管１４の閉塞部位から掃除口１２ｘまでの間に洗浄液Ｗを溜めて排水立て管１４、排水管継手１２及び排水横枝管１６,１７を音波洗浄できるようになる。即ち、集合住宅の排水設備１０を各階毎に音波洗浄することができ、その排水設備１０を複数回に分けて洗浄することが可能となる。このため、音波洗浄作業が大掛かりにならず、排水設備１０の不使用期間を短くできる。また、一回の洗浄で使用する洗浄液Ｗも少なくて済むとともに、音波発振機５２の使用台数も１台で済むようになる。
【００３３】
また、排水立て管１４内や排水横枝管１６,１７内で音波発振機５２をほぼ一定速度で移動させることが可能になるため、排水管１４,１６,１７をほぼ均等に洗浄できるようになる。また、希望する位置で音波発振機５２の移動を一定時間止めることもできるため、特定部位を重点的に洗浄することもできる。
また、配管閉塞部材４０は、簡易な構成で確実に排水立て管１４を閉塞することができるため、配管閉塞部材４０の閉塞信頼性が高くなる。
【００３４】
なお、本実施形態では、洗浄階Ｂの第１排水横枝管１６及び第２排水横枝管１７を洗浄した後、各器具側の端部を塞いだ状態で、洗浄階Ｂの排水立て管１４に洗浄液Ｗを注入する例を示したが、この方法の代わりに以下に示す方法を使用することも可能である。
即ち、洗浄階Ｂの第１排水横枝管１６及び第２排水横枝管１７の洗浄が終了した後、排水立て管１４を閉塞している閉塞用ボール４４を一旦収縮させ、その閉塞用ボール４４を洗浄階Ｂの排水管継手１２の上部受け口１２ｕまで上昇させる。次に、この位置で閉塞用ボール４４を膨張させて排水立て管１４を閉塞する。この状態で、上階Ａの排水管継手１２の掃除口１２ｘから洗浄液Ｗを注入し、洗浄階Ｂの排水立て管１４に洗浄液Ｗを溜めて音波洗浄を行う。このようにすれば、洗浄階Ｂの排水立て管１４を洗浄する前に第１排水横枝管１６及び第２排水横枝管１７の各器具側の端部を塞ぐ必要がなくなる。
【００３５】
また、本実施形態では、音波発振機５２を第１排水横枝管１６、第２排水横枝管１７及び排水立て管１４内で移動させて、管内の洗浄を行う例を示したが、洗浄範囲が狭ければ、音波発振機５２を閉塞用ボール４４と一体化し、定位置に保持した状態で、管内の洗浄を行うことも可能である。
【図面の簡単な説明】
【００３６】
【図１】本発明の実施形態１に係る排水設備の音波洗浄方法の各工程を表す一部破断側面図である。
【図２】本発明の実施形態１に係る排水設備の音波洗浄方法の各工程を表す一部破断側面図である。
【図３】本発明の実施形態１に係る排水設備の音波洗浄方法の各工程を表す一部破断側面図である。
【図４】台所流し台回りの配管を表す側面図（Ａ図）及びトラップの縦断面図（Ｂ図）である。
【図５】洗面台回りの配管を表す側面図（Ａ図）及びトラップを閉塞する状況を表す側面図（Ｂ図）である。
【符号の説明】
【００３７】
Ｗ        洗浄液
１０      排水設備
１２      排水管継手
１２ｘ    掃除口
１４      排水立て管
１６      第１排水横枝管
１７      第２排水横枝管
４０      配管閉塞部材
４２      エアホース（可撓性のホース）
４４      閉塞用ボール（先端部分）
５０      洗浄装置本体
５２      音波発振機
５４      ケーブル（ホース状部材）
【図１】
2005087872.tif 000003
【図２】
2005087872.tif 000004
【図３】
2005087872.tif 000005
【図４】
2005087872.tif 000006
【図５】
2005087872.tif 000007